(57)【要約】      （修正有）【課題】防水工事や架台を固定するためのコンクリート工事等を必要としないで震度７程度の地震にも耐えられる自重式の太陽電池モジュール支持架台を提供する。【解決手段】太陽電池モジュール１を高さ及び角度を適宜調整できる連結具２，２′を介して架台３に適当数連結した架台３を屋根Ａの所定の場所に配置するとともに、両サイドにコンクリートブロックＢを載置できる位の広さのブロック載置面を有し、中央部に枠部材５を収納できるように屈曲して枠部材収納部を突設した固定金具７の底部に耐震ジェルマット８の片面を貼付したものを上記架台の枠部材５に被せてボルトで固定するとともに耐震ジェルマット８の他の面を屋根Ａに貼着固定し、さらに固定金具７のブロック載置面にコンクリートブロックＢを載置する。固定金具７を予め架台３に固定しておく方法も可能である。【選択図】図１
0003191943.tif 000002
【実用新案登録請求の範囲】
【請求項１】
両サイドにコンクリートブロックを載置できる幅のブロック載置面を有し、中央部に架台の枠部材を収納するための枠部材収納部を突設した固定金具の底部に耐震ジェルマットの片面を貼り付けた状態で、予め屋根の所定の位置に配置した架台の枠部材の上から被せてボルトで固定し、同時に屋根Ａに耐震ジェルマットの反対面を貼り付け固定したのち、ブロック載置面にコンクリートブロックを載置するようにしたことを特徴とする耐震ジェルマットを底部に配置した太陽電池モジュール支持架台
【請求項２】
請求項１記載の固定金具を予め架台の枠部材にボルトで固定しておき、しかる後に当該架台を屋根に配置するようにしたことを特徴とする耐震ジェルマットを底部に配置した太陽電池モジュール支持架台
【考案の詳細な説明】
【技術分野】
【０００１】  本考案は、陸屋根に太陽光発電装置を設置する際のアンカーボルト打込みに伴う防水工事、あるいは架台固定用のコンクリート工事等を必要としない自重式の太陽電池モジュール支持架台に関するものである。
【背景技術】
【０００２】  化石燃料の枯渇問題、地球温暖化対策等々の理由で太陽光発電装置の開発がなされていたが、近年、東日本大地震を原因とした福島第一原子力発電所の事故を起因として、風力、太陽光あるいは地熱等の自然エネルギーを積極的に利用した発電が注目を浴びており、その中でも太陽光発電は、広大な敷地を利用した大規模な発電設備はもとより、一般家庭の屋根等の空間を利用した小規模な発電装置の開発が幅広く行われている。【０００３】  特に、自然エネルギーを利用した発電装置に関しては、国や自治体あるいは金融機関が設備投資への融資や補助金の給付を行うとともに、電力会社が太陽光発電を設置した一般家庭で発電した電力をまず家庭内で使用し、余った電力を会社で買い取ってくれる「余剰電力の買取制度」を設けたことにより一般家庭での太陽光発電設備の設置が急速に広まっている。
また、公共・産業用の太陽光発電においては、一般家庭用のような余剰電力の買取ではなく、発電した電気のすべてを固定価格で売電できる全量買取も行われている。【０００４】  本願は、太陽電池モジュールを利用した一般家庭や小規模アパートその他の陸屋根に設置するための太陽光発電装置の支持架台の改良に関するもので、特に耐震構造を強化した考案である。
従来の太陽電池モジュールを支持する架台は、屋根の形状が、スレート屋根、瓦屋根、陸屋根あるいは無落雪屋根等で固定方法が異なっており、東日本大震災が発生するまでは強風対策や防水対策が主体であった。  下記特許文献においても、支持架台を屋根に固定する方法及びそれに付随した防水対策が主体としたものである。
【先行技術文献】
【特許文献】
【０００５】
【特許文献１】  特開２０１１−２２００２０
【０００６】
【特許文献２】  特開２００２−３２２７６５
【０００７】
【特許文献３】  特開２００３−１８４２３５
【考案の概要】
【考案が解決しようとする課題】
【０００８】  従来の太陽電池モジュール支持架台に関する技術はそれぞれ特徴を有しており、例えば［特許文献１］特開２０１１−２２００２０は複数の太陽電池モジュールを行列方向に並べて固定するのに適した技術であって、部品点数を抑えることを目的とした技術であり、その解決手段として、連結金具で縦・横に連結接続された複数の太陽電池モジュールの枠部材に取付ける部品点数を抑えるアイデアであって、特殊な構造の固定金具を屋根にネジ止めするようにしたものである。
また、［特許文献２］特開２００２−３２２７６５の発明は陸屋根でなく傾斜した住宅屋根に設置する技術であるが、雨水等の流れを妨げることなく塵埃等の堆積を防止できるように配慮した太陽電池モジュールの取付け構造に関するものであって、太陽電池モジュール間に棒状目地材を挟んで敷設する際に、当該棒状目地材の全体が太陽電池モジュールの表面から突出しないように敷設するとともに、防水に対しても特別に配慮がなされたもので、当該太陽電池モジュールの支持用架台を屋根に固定する部分にはゴムシートを接着し、ビスをこのゴムシートを貫通させて固定し、水の浸入を防止できるようにしたものである。  防水対策が基本となっている。
また、［特許文献３］  特開２００３−１８４２３５は低重量であり、かつ防水性、耐風圧性を有し、取付け設備、施工価格の低減、取付け性の向上、メンテナンス性の向上等に着目した太陽光発電システムの支持構造に関するもので、取付け治具等は極力共通性のあるものを使用し、防水性向上のためにコンクリートブロックなどの基礎部材を利用して設置するようにしたものである。
この技術では、治具を介して太陽電池モジュールを基礎部材であるコンクリートブロックに取付け、当該コンクリートブロックを屋根に両面テープを利用して固定するようにしたものである。【０００９】  本考案はこれら先行技術はもとより太陽電池モジュールの支持方法、設置方法等に関する多数の先行技術のメリット、デメリットを詳細に検討した。
例えば、各先行技術のメリット面は尊重するとして、上記［特許文献１］特開２０１１−２２００２０の欠点は太陽電池モジュール支持装置を屋根にネジ止めするので防水対策が問題であり、同様に、［特許文献２］特開２００２−３２２７６５も屋根に固定する際に固定器具と屋根との間にゴムシートを介在させてはいるが、ビスを使用して固定するために屋根材に穴を開けることになり［特許文献１］同様に防水対策に問題がある。  また、［特許文献３］特開２００３−１８４２３５は太陽電池モジュールを接続器具でコンクリートブロックに取付け、これらを総合した重量と当該コンクリートブロックと屋根との間に貼付けた両面テープの接着力で耐風圧性を強化しているが単なる両面テープでは夏場の７０度前後に上昇する直射日光の影響や雨水による接着力の劣化が配慮されていない。【００１０】  また、上記の引例はもとよりこれまでの先行技術においても耐震性が配慮されていないことが致命的な欠点である。
【課題を解決するための手段】
【００１１】  本考案は、太陽電池モジュールを陸屋根に穴を明けることなく簡単に設置でき、しかも、従来の太陽光発電装置に比して軽量化、耐震性、耐水性、設置工事期間の短縮による経費の節減等々に配慮した太陽発電モジュール支持架台に関するものである。【００１２】  本考案は上記目的を達成するためになされたものであり、陸屋根の上に太陽電池モジュールを設置する際、支持架台に連結した固定用金具の下に超粘着性と超低弾性を有する耐震ジェルマットを配置することにより震度７クラスの地震や台風等の風圧に耐えることが出来る支持架台である。
本願で使用する耐震ジェルマットの性能試験結果は、１００ｍｍ×１００ｍｍ×５ｍｍサイズで耐震荷重  ４００ｋｇ、材質  ウレタンエラストマー、難燃性  ＵＬ―９４：Ｖ―２、粘着力３５５２Ｎ、耐用年数  ７〜１０年、適応温度  −２０〜７５℃、再使用  可  等々の成績であった。
【考案の効果】
【００１３】  この考案の最大の特徴は、太陽電池モジュールを取付けた架台の枠部材に取付けた固定金具の下に超粘性、超低弾性の耐震ジェルマットを配置して架台と屋根を強力に固定したので、震度７程度の地震や台風の圧力に十分耐えることが出来、しかも、この耐震ジェルマットは水洗いすることにより粘着性が回復するので再使用が可能であり、当該太陽発電装置の設置場所を移動した際には耐震ジェルマットの再使用が可能であり、経費面はもとより、作業能率面でも多大な効果を発揮できる。
また、本願考案は屋根材に従来の太陽光発電装置のようにネジ止用の穴を一切設けないので特殊な防水対策が全く不要であるとともに工事期間の縮減も可能であって、これに伴う経済効果が大であり安価に提供できる。【００１４】  また、本願装置は自重式であるが、従来その役割をなしていた架台固定用のコンクリートブロックの使用量を全体的に減量することが可能であるが、固定金具の両上面に載置する２枚のコンクリートブロックは重さの役割とは別に下部に配置した耐震ジェルマットへの日光を遮断するので夏期の高温や紫外線の影響が軽減され、耐震ジェルマットの耐久年数が大幅に延長されるなどの優れた作用効果を具有するものである。
【図面の簡単な説明】
【００１５】
【図１】屋根に取付けた太陽光発電装置の斜視図
【図２】固定金具の斜視図
【図３】耐震ジェルマットの斜視図
【図４】太陽電池モジュールを取付けた支持架台の部分的拡大図
【図５】屋根に太陽光発電装置を取付けた状態の枠部材、固定金具、耐震ジェルマット、屋根との接合部分の関係を示す断面図
【考案を実施するための形態】
【００１６】    以下、考案の実施例を図面によって詳述する。
【実施例１】
【００１７】  本考案を図面によって詳述すると、第１図に示すように太陽電池モジュール１の高さ及び角度を適宜調整できる連結具２、２´を介して架台３に適当数連結したものを、設置したい所定の位置に仮配置するとともに、架台３を屋根Ａの固定したい場所周辺のゴミ、埃、水分あるいは油分等をきれいに取り除いておき、第２図に示すように両サイドにコンクリートブロックＢ（例えば４００ｍｍ×３００ｍｍ）を載置できる位の幅のブロック載置面４、４´を有し、中央部に架台３の枠部材５を収納できるように屈曲して形成した枠部材収納部６を突設した固定金具７の底部に図３に示す耐震ジェルマット８（例えば１００ｍｍ×１００ｍｍ×５ｍｍ、耐震荷重４００ｋｇ）の片面を張り付けた状態で枠部材５の上から被せてボルト９で固定し、同時に屋根Ａに耐震ジェルマット８の反対面を張り付け固定したのち、ブロック載置面４、４´にコンクリートブロックＢを載置する。
なお、太陽電池モジュール１を架台３に連結しない状態で上記の作業を行い、架台３の設置が完了した後に太陽電池モジュール１を架台３に取付けることが出来ることは勿論である。
【実施例２】
【００１８】  架台３の枠部材５には予め固定金具７をボルト８で固定し、かつこの固定金具７の底部に耐震ジェルマット８の片面を貼付しておき、この架台３を、表面を実施例１と同様に清掃しておいた屋根Ａに載置して固定し、ブロック載置面４、４´にコンクリートブロックＢを載置する。
なお、太陽電池モジュール１を当該架台３に連結しない状態で上記の作業を行い、架台３の設置が完了した後に太陽電池モジュール１を取付けることが出来ることは実施例１と同様である。
【実施例３】
【００１９】  本願の耐震ジェルマット８は使用後にきれいな水で洗浄すると粘着性が回復して再使用が可能であり、その際には、架台３の片方の端部から徐々に持ち上げ、耐震ジェルマット８の端部から徐々に力を加えると容易に剥離でき、剥離後に耐震ジェルマット８を水洗いして粘着性を回復させ、移動先の所定の場所に架台３を再固定する。
【実施例４】
【００２０】  移動して耐震ジェルマット８を再使用する他の方法として、屋根Ａに架台３を載置した状態で、枠部材５に取付けた固定金具７のボルト８を外して固定金具７を自由に取り外せる状態にしておき、当該固定金具５を枠部材５に沿って徐々に持ち上げると耐震ジェルマット８を屋根Ａから容易に剥離することが可能である。    再利用する場合は［実施例３］と同様に水洗いして粘着性を回復させておく。
【符号の説明】
【００２１】１  太陽電池モジュール
２，２´  連結具
３  架台
４，４´  ブロック載置面
５  枠部材
６  枠部材収納部
７  固定金具
８  耐震ジェルマット
９  ボルト
１０  固定金具の底面
１１  ボルト挿通穴
Ａ  屋根
Ｂ  コンクリートブロック
【図１】
0003191943.tif 000003
【図２】
0003191943.tif 000004
【図３】
0003191943.tif 000005
【図４】
0003191943.tif 000006
【図５】
0003191943.tif 000007
【手続補正書】
【提出日】平成26年5月7日(2014.5.7)
【手続補正１】
【補正対象書類名】実用新案登録請求の範囲
【補正対象項目名】全文
【補正方法】変更
【補正の内容】
【実用新案登録請求の範囲】
【請求項１】
両サイドにコンクリートブロックを載置できる幅のブロック載置面を有し、中央部に架台の枠部材を収納するための枠部材収納部を突設した固定金具の底部に耐震ジェルマットの片面を貼り付けた状態で、予め屋根の所定の位置に配置してある架台の枠部材の上から被せてボルトで固定し、屋根に耐震ジェルマットの反対面を貼り付け固定したのち、当該固定金具のブロック載置面にコンクリートブロックを載置するようにしたことを特徴とする耐震ジェルマットを底部に配置した太陽電池モジュール支持架台
【請求項２】
両サイドにコンクリートブロックを載置できる幅のブロック載置面を有し、中央部に架台の枠部材を収納するための枠部材収納部を突設した請求項１記載の固定金具を予め架台の枠部材にボルトで固定しておき、当該架台を屋根へ配置する際に、固定金具の底部に耐震ジェルマットの片面を貼り付けてから屋根の所定の位置に配置することにより屋根に耐震ジェルマットの反対面を貼り付け固定し、しかる後固定金具のブロック載置面にコンクリートブロックを載置するようにしたことを特徴とする耐震ジェルマットを底部に配置した太陽電池モジュール支持架台